(57)【特許請求の範囲】
【請求項１】
被検眼を観察する観察光学系を有する眼科装置本体と、この眼科装置本体に着脱自在に装着されるリレーレンズユニットと、このリレーレンズユニットに着脱自在に装着される撮像装置とを備えた眼科撮影装置であって、
前記リレーレンズユニットは、前記眼科装置本体によって設定される撮影モードに応じて撮像装置のパラメータを設定する設定信号を出力する設定信号出力手段を有し、
前記撮像装置は、前記設定信号によってパラメータを設定するパラメータ設定手段を有していることを特徴とする眼科撮影装置。
【請求項２】
被検眼を観察する観察光学系を有する眼科装置本体と、この眼科装置本体に着脱自在に装着されるリレーレンズユニットと、このリレーレンズユニットに着脱自在に装着される撮像装置とを備えた眼科撮影装置であって、
前記リレーレンズユニットは、撮像装置のパラメータの数値を記憶したメモリと、前記眼科装置本体によって設定される撮影モードに対応したパラメータの数値を前記メモリから読み出してその数値を示す数値信号を出力する制御手段とを有し、
前記撮像装置は、前記数値信号によってパラメータの数値を設定するパラメータ設定手段を有していることを特徴とする眼科撮影装置。
【請求項３】
被検眼を観察する観察光学系を有する眼科装置本体と、この眼科装置本体に着脱自在に装着される撮像装置と、この撮像装置によって撮像された像を記録する記録装置とを備えた眼科撮影装置であって、
前記記録装置の記録モードに応じて前記撮像装置のパラメータが自動設定されることを特徴とする眼科撮影装置。
【発明の詳細な説明】
【０００１】
【発明の属する技術分野】
この発明は、被検眼を撮影する眼科撮影装置に関する。
【０００２】
【従来技術】
従来から、眼底カメラにリレーレンズユニットを装着し、このリレーレンズユニットにＴＶカメラを装着して眼底をＴＶカメラで撮影する眼科撮影装置が知られている。
【０００３】
かかる眼科撮影装置は、眼底カメラの撮影モード設定スイッチによってカラー撮影モード,可視蛍光撮影モード,赤外蛍光撮影モード等のモードを設定し、この設定した撮影モードに合わせてＴＶカメラのパラメータであるゲインやガンマあるいは色温度を手動で設定して眼底を撮影するものである。
【０００４】
【発明が解決しようとする課題】
このように、従来の眼科撮影装置では、眼底カメラの撮影モードに合わせてＴＶカメラのパラメータを手動で設定しているため、撮影モードを変える毎にパラメータを設定し直さなければならず、非常に面倒であるという問題があった。
【０００５】
この発明は、上記問題点に鑑みてなされたもので、その目的は、自動的にパラメータを設定することのできる眼科撮影装置を提供することにある。
【０００６】
【課題を解決するための手段】
上記目的を達成するため、請求項１の発明は、被検眼を観察する観察光学系を有する眼科装置本体と、この眼科装置本体に着脱自在に装着されるリレーレンズユニットと、このリレーレンズユニットに着脱自在に装着される撮像装置とを備えた眼科撮影装置であって、
前記リレーレンズユニットは、前記眼科装置本体によって設定される撮影モードに応じて撮像装置のパラメータを設定する設定信号を出力する設定信号出力手段を有し、
前記撮像装置は、前記設定信号によってパラメータを設定するパラメータ設定手段を有していることを特徴とする。
【０００７】
請求項２の発明は、被検眼を観察する観察光学系を有する眼科装置本体と、この眼科装置本体に着脱自在に装着されるリレーレンズユニットと、このリレーレンズユニットに着脱自在に装着される撮像装置とを備えた眼科撮影装置であって、
前記リレーレンズユニットは、撮像装置のパラメータの数値を記憶したメモリと、前記眼科装置本体によって設定される撮影モードに対応したパラメータの数値を前記メモリから読み出してその数値を示す数値信号を出力する制御手段とを有し、
前記撮像装置は、前記数値信号によってパラメータの数値を設定するパラメータ設定手段を有していることを特徴とする。
【０００８】
請求項３の発明は、被検眼を観察する観察光学系を有する眼科装置本体と、この眼科装置本体に着脱自在に装着される撮像装置と、この撮像装置によって撮像された像を記録する記録装置とを備えた眼科撮影装置であって、
前記記録装置の記録モードに応じて前記撮像装置のパラメータが自動設定されることを特徴とする。
【００１４】
【実施の形態】
以下、この発明に係る眼科撮影装置の実施形態を図面に基づいて説明する。
［第１実施形態］
図１に示す眼科撮影装置は、眼底カメラ１０と、この眼底カメラ１０に着脱自在に装着されたリレーレンズユニット７０と、このリレーレンズユニット７０に着脱自在に装着されたＴＶカメラ（撮像装置）８０とを備えている。このＴＶカメラ８０は可視および赤外領域に感度を持っている。
【００１５】
眼底カメラ１０は、ジョイスティック１１の操作によりベース台１２に対して前後左右方向に移動可能な本体１３を有している。１５はジョイスティック１２に設けた撮影スイッチである。
【００１６】
本体１１の基台１６の上面には、ジョイスティック１１に隣接した位置に操作パネル２０が設けられており、この操作パネル２０には、ＩＣＧ（赤外蛍光）撮影モード（撮影条件）,ＦＡＧ（可視蛍光）撮影モード（撮影条件）,動画像を撮影するカラー撮影モード（撮影条件）および３５mmカメラＫで撮影する通常撮影モード等のモードを設定する撮影モード設定スイッチＳが設けられている。また、鏡体部には各フィルタ（後述するエキサイタフィルタやバリアフィルタの他にグリーンフィルタ,レッドフィルタ,ブルーフィルタなど）の切換スイッチ(図示せず)が設けられており、この切換スイッチの切り換え操作によっても各モードが自動的に設定されるようになっている。
【００１７】
本体１１内には、被検眼Ｅの眼底を照明する照明光学系３０と、照明された眼底を観察・撮影する観察光学系５０とが設けられている。
【００１８】
照明光学系３０は、観察用光源であるハロゲンランプ３１と、コンデンサレンズ３２と、撮影用光源であるキセノンランプ３３と、コンデンサレンズ３４と、反射ミラー３５と、エキサイタフィルタ３６,３７と、被検眼の瞳孔と共役位置にあるリング開口３８aを有するリング開口板３８と、リレーレンズ３９,４０と、孔開きミラー４１と、対物レンズ４２とを有している。エキサイタフィルタ３６,３７は光路から離脱可能に配置されており、可視蛍光撮影モードのときにはエキサイタフィルタ３６のみが光路に挿入され、赤外蛍光撮影モードのときにはエキサイタフィルタ３７のみが光路に挿入され、カラー撮影モードおよび通常撮影モードのときには両エキサイタフィルタ３６,３７は光路から離脱される。
【００１９】
照明光学系３０は、眼底観察時にハロゲンランプ３１が点灯してコンデンサレンズ３２,３４および反射ミラー３５を介してリング開口板３８を照射する。リング開口板３８のリング開口３８aを通った光束は、リレーレンズ３９,４０、孔開きミラー４１および対物レンズ４２を介して被検眼に入射する。リング開口板３８と瞳孔とは共役位置にあるので、瞳孔上にリング開口像が形成され、このリング開口像により眼底が照明されることとなる。通常の眼底撮影時には、キセノンランプ３３が点灯して上記と同様にして眼底を照明する。
【００２０】
観察光学系５０は、対物レンズ４２と、バリアフィルタ５２,５３と、合焦レンズ５４と、撮影レンズ５５とを備えている。バリアフィルタ５２,５３は光路から離脱可能に配置されており、ＦＡＧ撮影モードのときにはバリアフィルタ５２のみが光路に挿入され、ＩＣＧ撮影モードのときにはバリアフィルタ５３のみが光路に挿入され、通常の撮影モードのときには両バリアフィルタ５２,５３は光路から離脱される。
【００２１】
また、観察光学系５０はファインダ光学系１５０を備えており、ファインダ光学系１５０はクイックリターンミラー１５１と視野レンズ１５２と切換ミラー１５３と接眼レンズ１５４とを有している。視野レンズ１５２と３５mmカメラＫのフィルムＦとが共役位置にある。切換ミラー１５３は、ＦＡＧ撮影モードのとき、撮影スイッチ１５が押される毎に鎖線位置へ跳ね上がり、ＩＣＧ撮影モードのとき鎖線位置に切り換わり、撮影スイッチ１５の操作に拘わらず鎖線位置に停止した状態となる。
【００２２】
観察光学系５０は、眼底で反射された照明光束を対物レンズ４２,孔開きミラー４１,合焦レンズ５４および撮影レンズ５５を介してクイックリターンミラー１５１へ導く。クイックリターンミラー１５１が実線位置にあるとき、眼底の反射光束がクイックリターンミラー１５１で反射して視野レンズ１５２および切換ミラー１５３を介して接眼レンズ１５４に達する。これにより、ファインダ光学系１５０を介して眼底を観察することできる。
【００２３】
クイックリターンミラー１５１が鎖線位置へ跳ね上げられると、眼底の反射光束はフィルムＦ面上に達し、このフィルムＦ面上に眼底像が結像され眼底が撮影される。
【００２４】
ＴＶリレーレンズユニット７０は、リレーレンズ７１と、結像レンズ７２と、ミラー７３とを備えている。
【００２５】
切換ミラー１５３が鎖線位置に切り換わると、クイックリターンミラー１５１に達した眼底の反射光束は視野レンズ１５２,リレーレンズ７１,結像レンズ７２およびミラー７３を介してＴＶカメラ８０の撮像素子８１に達し、この撮像素子８１上に眼底像が結像され、ＴＶカメラ８０によって眼底像が撮像される。この撮像された眼底像はビデオ装置９０に録画されていく。
【００２６】
図２は眼科撮影装置の制御系の構成を示したブロック図である。図２において、１０１はクイックリターンミラー１５１を跳ね上げるソレノイド、１０２,１０３はエキサイタフィルタ３７,３８を光路に挿入したり光路から離脱させたりするソレノイド、１０４,１０５はバリアフィルタ５２,５３を光路に挿入したり光路から離脱させたりするソレノイド、１０６は切換ミラー１５３を鎖線位置や実線位置に切り換えるソレノイド、１００は撮影モード設定スイッチＳや撮影スイッチ１５の操作に基づいて、ソレノイド１０１〜１０６の動作やランプ３１,３３の点灯などを制御する制御装置である。この制御装置１００はＣＰＵ等から構成されている。そして、制御装置１００やソレノイド１０１〜１０６は眼底カメラ１０の本体１３内に設けられている。
【００２７】
また、図２において、１１０は各撮影モードに応じたパラメータを記憶しているメモリである。このメモリ１１０には、カラー撮影モードのパラメータとして例えばゲイン１およびガンマ０.４５と、赤外蛍光撮影モードのパラメータとして例えばゲイン８およびガンマ１と、可視蛍光撮影モードのパラメータとしてゲイン８およびガンマ０.４５とが各撮影モードに対応してそれぞれ記憶されている。これらゲインおよびガンマの数値は操作キー１１１によって任意に設定できるようになっている。この操作キー１１１はリレーレンズユニット７０の図示しないケースに取り付けられている。
【００２８】
１１２は撮影モード設定スイッチＳから出力されるモード信号を受けてメモリ１１０からそのモードに応じたパラメータであるゲイン,ガンマを読み出して出力ポートＱ1からその読み出したゲイン,ガンマの数値信号（設定信号）を出力する制御装置（制御手段：設定信号出力手段）である。制御装置１１２およびメモリ１１０はリレーレンズユニット７０内に設けられており、リレーレンズユニット７０を眼底カメラ１０の本体１３に装着すると、リレーレンズユニット７０の制御装置１１２と眼底カメラ１０の撮影モード設定スイッチＳとが電気的に接続されるようになっている。
【００２９】
１２０はＴＶカメラ８０のゲインを設定するゲイン設定手段、１２１はＴＶカメラ８０のガンマを設定するガンマ設定手段、１２２はＴＶカメラ８０に設けた制御装置である。この制御装置１２２は、リレーレンズユニット７０の制御装置１１２の出力ポートＱ1から出力されるゲイン,ガンマの数値信号を受けると、ゲイン設定手段１２０およびガンマ設定手段１２１の設定をその数値のゲイン,ガンマに設定するものである。ＴＶカメラ８０をリレーレンズユニット７０に装着するとＴＶカメラ８０の制御装置１２２とリレーレンズユニット７０の制御装置１１２とが電気的に接続されるようになっている。そして、ゲイン設定手段１２０とガンマ設定手段１２１とでパラメータ設定手段が構成されている。また、ゲイン設定手段１２０およびガンマ設定手段１２１は手動操作によってもゲインおよびガンマを設定できるようになっている。
【００３０】
次に、上記実施形態の眼科撮影装置の動作について説明する。
【００３１】
先ず、図示しないメインスイッチを投入する。すると、照明光学系３０のハロゲンランプ３１が点灯し眼底が照明される。この眼底の照明によりファインダ光学系１５０を通して眼底が観察される。そして、撮影モード設定スイッチＳによりカラー撮影モードを設定すると、撮影モード設定スイッチＳから出力されるカラー撮影モード信号によりリレーレンズユニット７０の制御装置１１２がメモリ１１０に記憶されているカラー撮影モードのパラメータを読み出す。すなわち、制御装置１１２は、メモリ１１０からゲイン１およびガンマ０.４５を読み出し、出力ポートＱ1から数値「１」を示す数値信号と、数値「０.４５」を示す数値信号を出力する。
【００３２】
ＴＶカメラ８０の制御装置１２２は、制御装置１１２の出力ポートＱ1から出力される数値信号によりゲイン設定手段１２０のゲインを「１」に設定し、ガンマ設定手段１２１のガンマを「０.４５」に設定する。
【００３３】
他方、撮影モード設定スイッチＳから出力されたカラー撮影モード信号により、眼底カメラ１０の制御装置１００はソレノイド１０２〜１０５を制御してエキサイタフィルタ３７,３８およびバリアフィルタ５２,５３を光路から離脱させる。
【００３４】
そして、撮影スイッチ１５を押すと、制御装置１００はソレノイド１０６を制御して切換ミラー１５３を鎖線位置に切り換える。切換ミラー１５３の鎖線位置への切り換えにより、眼底からの反射光束が視野レンズ１５２,リレーレンズ７１,結像レンズ７２およびミラー７３を介してＴＶカメラ８０の撮像素子８１に達し、ＴＶカメラ８０によって眼底像が撮像される。この撮像された眼底像はビデオ装置９０に録画されていく。
【００３５】
ところで、ＴＶカメラ８０のゲインが「１」に設定され、ガンマが「０.４５」に設定されているので、ＴＶカメラ８０による眼底像のカラー撮影は適正に行われ、鮮明な眼底像がビデオ装置９０に録画されていくことになる。そして、再度撮影スイッチＳを操作すると、切換ミラー１５３が実線位置に切り換わり、ＴＶカメラ８０による眼底像の撮影は停止する。
【００３６】
撮影モード設定スイッチＳにより可視蛍光撮影モードを設定すると、制御装置１００はソレノイド１０２〜１０５を制御してエキサイタフィルタ３７およびバリアフィルタ５２を光路に挿入させる。
【００３７】
他方、撮影モード設定スイッチＳから出力される可視蛍光撮影モード信号によりリレーレンズユニット７０の制御装置１１２がメモリ１１０に記憶されている可視蛍光撮影モードのパラメータを読み出して、そのパラメータであるゲイン８とガンマ０.４５の数値信号を出力ポートＱ1から出力する。ＴＶカメラ８０の制御装置１２２は、その出力ポートＱ1から出力される数値信号によりゲイン設定手段１２０のゲインを「８」に設定し、ガンマ設定手段１２１のガンマを「０.４５」に設定する。
【００３８】
そして、撮影スイッチ１５を押すと、制御装置１００はソレノイド１０６を制御して切換ミラー１５３を鎖線位置に切り換える。
【００３９】
照明光学系３０の光路にはエキサイタフィルタ３７が挿入されているので、眼底が所定波長の可視光により照明され、静注された蛍光剤により眼底から可視蛍光が発生する。他方、観察光学系５０の光路にはバリアフィルタ５２が挿入され、切換ミラー１５３が鎖線位置へ切り換わっていることにより、可視蛍光による眼底像がＴＶカメラ８０によって撮像され、この撮像された眼底像はビデオ装置９０に録画されていく。
【００４０】
この際、ＴＶカメラ８０のゲインが「８」に設定され、ガンマが「０.４５」に設定されているので、可視蛍光による眼底像が撮像装置８０によって適正に撮像され、鮮明な可視蛍光眼底像がビデオ装置９０に録画されていくことになる。
【００４１】
同様に、撮影モード設定スイッチＳにより赤外蛍光撮影モードが設定されると、ＴＶカメラ８０のゲインが「８」に、ガンマが「１」に設定されるとともに、光路にエキサイタフィルタ３７およびバリアフィルタ５４が挿入され、切換ミラー１５３が鎖線位置に切り換わり、赤外蛍光による眼底像がＴＶカメラ８０によって撮像され、この撮像された眼底像がビデオ装置９０に録画されていく。
【００４２】
この際、ＴＶカメラ８０のゲインが「８」に設定され、ガンマが「１」に設定されているので、赤外蛍光による眼底像がＴＶカメラ８０によって適正に撮像され、鮮明な赤外蛍光眼底像がビデオ装置９０に録画されていくことになる。
【００４３】
このように、撮影モード設定スイッチＳの操作により撮影モードを変えると、自動的にＴＶカメラ８０のパラメータがその撮影モードに応じて設定されるので、従来のように手動で設定し直す必要がなく、非常に使い勝手のよいものとなる。
【００４４】
この第１実施形態では、撮影モードに応じてＴＶカメラ８０のパラメータを設定し直すようにしているが、ＴＶカメラの画角や絞りに応じてもパラメータを設定し直すようにしてもよい。
［第２実施形態］
図３は第２実施形態を示した眼科撮影装置である。図３において、２００はリレーレンズユニットである。このリレーレンズユニット２００は、リレーレンズ７１と結像レンズ７２の他に切換ミラー２０１とリレーレンズ２０２とミラー２０３と、マイクロスイッチ２０４,２０５とを備えている。リレーレンズユニット２００の第１マウント２１１には可視撮影用のＴＶカメラ２２０が着脱自在に装着され、第２マウント２１２には赤外・可視両用のＴＶカメラ２３０が着脱自在に装着されている。ＴＶカメラ２３０には識別子２３２が設けられており、リレーレンズユニット２００に設けたマイクロスイッチ２０５がその識別子２３２によりオンしている。ＴＶカメラ２２０には識別子が設けられておらず、このためリレーレンズユニット２００に設けたマイクロスイッチ２０４はオフしている。
【００４５】
図４は第２実施形態の眼科撮影装置の制御系の構成を示したブロック図である。リレーレンズユニット２００の制御装置（制御手段：設定信号出力手段）２０６は、出力ポートＱ1,Ｑ3を有しており、第１,第２マウント２１１,２１２に装着されたＴＶカメラ２２０,２３０の種類をマイクロスイッチ２０４,２０５のオン・オフにより識別するようになっている。すなわち、マイクロスイッチ２０５のオンにより制御装置２０６は第２マウント２１２に装着されたＴＶカメラ２３０が赤外蛍光で撮影できることを認識する。つまり、マイクロスイッチ２０４,２０５がオンのとき、第１,第２マウント２１１,２１２に装着されているＴＶカメラは赤外蛍光で撮影可能であることを識別し、オフであれば第１,第２マウント２１１,２１２に装着されているＴＶカメラは可視光用であることを識別するものである。
【００４６】
そして、この識別に基づいて制御装置２０６は出力ポートＱ1からカラー撮影モードのパラメータや可視蛍光撮影モードのパラメータを出力し、出力ポートＱ3から赤外蛍光モードのパラメータを出力するものである。第１,第２マウント２１１,２１２に装着されているＴＶカメラが図３と逆であれば、制御装置２０６は、出力ポートＱ3からカラー撮影モードのパラメータや可視蛍光撮影モードのパラメータを出力し、出力ポートＱ1から赤外蛍光モードのパラメータを出力することになる。
【００４７】
また、図４において、２０７は切換ミラー２０１を実線位置と鎖線位置とに切り換えるソレノイド、２２１はＴＶカメラ２２０のゲインを設定するゲイン設定手段、２２２はＴＶカメラ２２０のガンマを設定するガンマ設定手段、２２３は制御装置１２２と全く同様な制御装置である。２３１はＴＶカメラ２３０のゲインを設定するゲイン設定手段、２３２はＴＶカメラ２３０のガンマを設定するガンマ設定手段、２３３は制御装置１２２と全く同様な制御装置である。
【００４８】
次に、第２実施形態の眼科撮影装置の動作について説明する。
【００４９】
撮影モード設定スイッチＳによりカラー撮影モードを設定すると、制御装置２０６はメモリ１１０からカラー撮影モードのパラメータであるゲイン１およびガンマ０.４５を読み出す。一方、制御装置２０６は、マイクロスイッチ２０４のオフによってリレーレンズユニット２００の第１マウント２１１に装着されているＴＶカメラ２２０が可視光用のＴＶカメラであることを認識していることにより、その読み出したパラメータを出力ポートＱ1から出力する。すなわち、出力ポートＱ1から数値「１」を示す数値信号と、数値「０.４５」を示す数値信号を出力する。そして、ＴＶカメラ２２０の制御装置２２３はゲイン設定手段２２１のゲインを「１」に設定し、ガンマ設定手段２２２のガンマを「０.４５」に設定する。
【００５０】
また、制御装置２０６は、リレーレンズユニット２００の第１マウント２１１に装着されているＴＶカメラ２２０が可視光用のＴＶカメラであることを認識しており、また、カラー撮影モードが設定されたことにより、ソレノイド２０７を制御して切換ミラー２０１を実線位置に切り換える。
【００５１】
他方、カラー撮影モードが設定されたことにより、眼底カメラ１０の制御装置１００はソレノイド１０２〜１０５を制御してエキサイタフィルタ３７,３８およびバリアフィルタ５２,５３を光路から離脱させる。
【００５２】
そして、撮影スイッチ１５を押すと、制御装置１００はソレノイド１０６を制御して切換ミラー１５３を鎖線位置に切り換える。切換ミラー１５３の鎖線位置への切り換えにより、眼底からの反射光束が視野レンズ１５２,リレーレンズ７１,結像レンズ７２および切換ミラー２０１を介してＴＶカメラ２２０の撮像素子２２１に達し、ＴＶカメラ２２０によって眼底像が撮像される。この撮像された眼底像はビデオ装置９０に録画されていく。
【００５３】
この際、ＴＶカメラ２２０のゲインが「１」に設定され、ガンマが「０.４５」に設定されているので、ＴＶカメラ２２０による眼底像のカラー撮影は適正に行われ、鮮明な眼底像がビデオ装置９０に録画されていくことになる。
【００５４】
撮影モード設定スイッチＳにより赤外蛍光撮影モードが設定されると、光路にエキサイタフィルタ３７およびバリアフィルタ５４が挿入され、リレーレンズユニット２００の制御装置２０６はメモリ１１０から赤外蛍光撮影モードのパラメータであるゲイン８およびガンマ１を読み出す。一方、制御装置２０６は、マイクロスイッチ２０５のオンによってリレーレンズユニット２００の第２マウント２１２に装着されているＴＶカメラ２３０が赤外蛍光で撮影できるＴＶカメラであることを認識していることにより、その読み出したパラメータを出力ポートＱ3から出力する。すなわち、出力ポートＱ3から数値「８」を示す数値信号と、数値「１」を示す数値信号を出力する。そして、ＴＶカメラ２３０の制御装置２３３はゲイン設定手段２３１のゲインを「８」に設定し、ガンマ設定手段２３２のガンマを「１」に設定する。
【００５５】
また、制御装置２０６は、リレーレンズユニット２００の第２マウント２１２に装着されているＴＶカメラ２３０が赤外蛍光で撮影できるＴＶカメラであることを認識しており、また、赤外蛍光撮影モードが設定されたことにより、ソレノイド２０７を制御して切換ミラー２０１を鎖線位置に切り換える。
【００５６】
そして、撮影スイッチ１５を押すと、制御装置１００はソレノイド１０６を制御して切換ミラー１５３を鎖線位置に切り換える。切換ミラー１５３の鎖線位置への切り換えにより、眼底からの赤外蛍光が視野レンズ１５２,リレーレンズ７１,結像レンズ７２,リレーレンズ２０２およびミラー２０３を介してＴＶカメラ２３０の撮像素子２３１に達し、ＴＶカメラ２３０によって赤外蛍光の眼底像が撮像される。この撮像された眼底像はビデオ装置９０に録画されていく。
【００５７】
この際、ＴＶカメラ２３０のゲインが「８」に設定され、ガンマが「１」に設定されているので、ＴＶカメラ２３０による赤外蛍光の眼底像の撮影は適正に行われ、鮮明な赤外蛍光の眼底像がビデオ装置９０に録画されていくことになる。
【００５８】
可視蛍光撮影モードが設定された場合には、エキサイタフィルタ３７およびバリアフィルタ５２が光路に挿入されるとともに、メモリ１１０から可視蛍光撮影モードのパラメータであるゲイン８およびガンマ０.４５が読み出される。そして、制御装置２０６は、マイクロスイッチ２０４のオフによりリレーレンズユニット２００の第１マウント２１１に装着されているＴＶカメラ２２０が可視光用のＴＶカメラであることを認識しており、また、可視蛍光撮影モードが設定されたことにより、ソレノイド２０７を制御して切換ミラー２０１を実線位置に切り換える。
【００５９】
また、制御装置２０６は、リレーレンズユニット２００の第１マウント２１１に装着されているＴＶカメラ２２０が可視光用のＴＶカメラであることを認識していることにより、出力ポートＱ1から数値「８」を示す数値信号と、数値「０.４５」を示す数値信号を出力して、ＴＶカメラ２２０のゲインを「８」に設定し、ガンマを「０.４５」に設定する。
【００６０】
そして、撮影スイッチ１５を押すと、切換ミラー１５３が鎖線位置に切り換えられ、可視蛍光による眼底像がＴＶカメラ２２０によって撮像され、この撮像された眼底像はビデオ装置９０に録画されていく。
【００６１】
この際、ＴＶカメラ２２０のゲインが「８」に設定され、ガンマが「０.４５」に設定されているので、可視蛍光による眼底像がＴＶカメラ２２０によって適正に撮像され、鮮明な可視蛍光眼底像がビデオ装置９０に録画されていくことになる。
【００６２】
この第２実施形態によれば、リレーレンズユニット２００の第１,第２マウント２１１,２１２のどちらにＴＶカメラ２２０,２３０が装着されてもその装着されたＴＶカメラ２２０,２３０に合わせてパラメータが自動的に設定されるので、大変使い勝手の良いものとなる。
［第３実施形態］
図５および図６は第３実施形態を示したものである。図５および図６において、２５０はパーソナルコンピュータ（パソコン）であり、このパソコン２５０によってメモリ１１０から読み出すパラメータを選択するようにしたものである。例えば、ウインドウを３つ開いて第１ウインドウには通常のカラー眼底像を記録し、第２ウインドウには可視蛍光眼底像を記録し、第３ウインドウには赤外蛍光眼底像を記録する場合、第１ウインドウがアクテイブになると、制御装置１１２はメモリ１１０からカラー撮影モードのパラメータを読み出して、ＴＶカメラ８０の制御装置１２２にそのパラメータを送り、制御装置１２２はゲイン設定手段１２０のゲインを「１」に設定し、ガンマ設定手段１２１のガンマを「０.４５」に設定する。
【００６３】
第２ウインドウがアクテイブになると、制御装置１１２はメモリ１１０から可視蛍光撮影モードのパラメータを読み出して、上記と同様にしてＴＶカメラ８０のゲインを「８」に設定させ、ガンマを「０.４５」に設定させる。第３ウインドウがアクテイブになると、制御装置１１２はメモリ１１０から赤外蛍光撮影モードのパラメータを読み出して、上記と同様にＴＶカメラ８０のゲインを「８」に設定させ、ガンマを「１」に設定させる。
［第４実施形態］
図７は第４実施形態を示したものである。この第４実施形態の眼科撮影装置は、眼底カメラ３００と、この眼底カメラ３００に着脱自在に装着されたリレーレンズユニット３７０と、このリレーレンズユニット３７０に着脱自在に装着されたＴＶカメラ（撮像装置）３８０とを備えている。このＴＶカメラ３８０は可視および赤外領域に感度を持っており、ゲインおよびガンマの設定は手動で行う。
【００６４】
眼底カメラ３００は、第１実施形態のクイックリターンミラー１５１がミラー３５１に置き換わり、第１実施形態の視野レンズ１５２、切換ミラー１５３、接眼レンズ１５４を省略したものであり、他は第１実施形態の光学系と同様な構成となっている。眼底カメラ３００の本体１３にはモニタＭが設けられており、このモニタＭにはＴＶカメラ３８０で撮像された眼底像が表示される。
【００６５】
また、眼底カメラ３００は、図８に示すように制御装置３０１を備えており、この制御装置３０１は、キセノンランプ３３を発光させる際には信号Ｇ1を出力し、ハロゲンランプ３１を発光させる際には信号Ｇ2を出力するようになっている。
【００６６】
リレーレンズユニット３７０は、制御装置１１２およびメモリ１１０を備えていない以外は第１実施形態のリレーレンズユニット７０と同じ構成となっている。
【００６７】
ＴＶカメラ３８０は、撮像素子３８１を備え、図８に示すように色温度の調整を行う色温度設定手段３８２と、この色温度設定手段３８２を制御する制御装置３８１とを有している。リレーレンズユニット３７０にＴＶカメラ３８０が装着されると、眼底カメラ３００の制御装置３０１とＴＶカメラ３８０の制御装置３８１とが電気的に接続され、制御装置３０１から出力される信号Ｇ1,Ｇ2が制御装置３８１に入力されるようになっている。制御装置３８１は、その信号Ｇ1,Ｇ2に基づいて色温度設定手段３８２を制御する。
【００６８】
次に、第４実施形態の動作について説明する。
【００６９】
先ず、動画で眼底を撮影する場合について説明する。この場合、撮影モード設定スイッチＳによって、動画モードを設定する。そして、撮影スイッチ１５を操作すると、制御装置３０１は信号Ｇ2を出力するとともにハロゲンランプ３１を発光させる。ＴＶカメラ３８０の制御装置３８１はその信号Ｇ2に基づいて色温度設定手段３８２を制御してハロゲンランプ３１に対応した色温度に設定する。例えば、ハロゲンランプ３１の色温度が３２００Ｋであれば、制御装置３８１は色温度設定手段３８２を制御して色温度を３２００Ｋに設定する。
【００７０】
これは、制御装置３０１から信号Ｇ2,Ｇ1が出力されたとき、色温度を３２００Ｋ,５６００Ｋに設定するように予め制御装置３８１を設定しておくものである。
【００７１】
撮影スイッチ１５の操作により、ハロゲンランプ３１で照明された眼底がＴＶカメラ３８０によって撮像され、ビデオ装置９０によって録画されていくとともにモニタＭに眼底像が表示される。ＴＶカメラ３８０は、ハロゲンランプ３１に対応した色温度３２００Ｋに設定されていることにより、自然な色で眼底を撮影していくことになる。
【００７２】
次に、静止画モードで撮影する場合について説明する。この場合、撮影モード設定スイッチＳによって静止画モードを設定する。そして、撮影スイッチ１５を操作すると、制御装置３０１は信号Ｇ1を出力するとともにキセノンランプ３３を発光させる。ＴＶカメラ３８０の制御装置３８１はその信号Ｇ1に基づいて色温度設定手段３８２を制御してキセノンランプ３３に対応した色温度に設定する。例えば、キセノンランプ３３の色温度が５６００Ｋであると、制御装置３８１は色温度設定手段３８２を制御して色温度を５６００Ｋに設定する。
【００７３】
撮影スイッチ１５の操作により、キセノンランプ３３で照明された眼底がＴＶカメラ３８０によって撮像され、ビデオ装置９０によって録画されていく。ＴＶカメラ３８０は、キセノンランプ３３に対応した色温度５６００Ｋに設定されていることにより、自然な色で眼底を撮影していくことになる。
【００７４】
このように、発光するランプ３１,３３に対応してＴＶカメラ３８０の色温度が自動的に設定されていくので、従来のように手動でＴＶカメラ３８０の色温度を設定し直す必要がなく、非常に使い勝手のよいものとなる。
［第５実施形態］
図９は第５実施形態を示したものである。この第５実施形態の眼科撮影装置は、ＴＶカメラ４８０に設定された色温度に対応したランプ３１,３３を発光させるようにしたものである。この第５実施形態の光学系の構成は第４実施形態と同様なのでその説明は省略する。
【００７５】
ＴＶカメラ４８０の制御装置４８１は、色温度設定手段４８２によって設定された色温度に対応した信号Ｇ3を出力し、眼底カメラ４００の制御装置４０１はその信号Ｇ3に基づいてランプ３１,３３を発光させるものである。
【００７６】
いま、例えば、ＴＶカメラ４８０の色温度設定手段４８２によって色温度３２００Ｋが設定されると、制御装置４８１はその色温度に応じた信号Ｇ3aを出力する。眼底カメラ４００の制御装置４０１は、撮影スイッチ１５が操作されるとその信号Ｇ3aに対応したハロゲンランプ３１を発光させて眼底の撮影を行う。
【００７７】
また、ＴＶカメラ４８０の色温度設定手段４８２によって色温度５６００Ｋが設定されると、制御装置４８１はその色温度に応じた信号Ｇ3bを出力する。眼底カメラ４００の制御装置４０１は、撮影スイッチ１５が操作されるとその信号Ｇ3bに対応したキセノンランプ３３を発光させて眼底の撮影を行う。
【００７８】
ＴＶカメラ４８０の色温度設定手段４８２によって設定された色温度に対応したランプがない場合には、制御装置４０１は警告ランプ４０２を点灯して警告表示する。
【００７９】
このように、ＴＶカメラ４８０の色温度設定手段４８２によって設定された色温度に対応したランプ３１,３３が発光されるので、従来のように手動で設定し直す必要がなく、非常に使い勝手のよいものとなる。
［第６実施形態］
図１０は第６実施形態を示したものである。この第６実施形態の眼科撮影装置は、第１実施形態の眼科撮影装置１０に第４実施形態の色温度の自動設定機能を追加したものであり、その動作は第１,第４実施形態と同様なのでその説明は省略する。また、第６実施形態の光学系の構成は第１実施形態と同じである。
【００８０】
【発明の効果】
この発明によれば、自動的にパラメータの設定が行われるので非常に使い勝手の良いものとなる。
【図面の簡単な説明】
【図１】この発明に係る眼科撮影装置の構成を示した説明図である。
【図２】図１の眼科撮影装置の制御系の構成を示したブロック図である。
【図３】第２実施形態の眼科撮影装置の構成を示した説明図である。
【図４】図４の眼科撮影装置の制御系の構成を示したブロック図である。
【図５】第３実施形態の眼科撮影装置の構成を示した説明図である。
【図６】図５の眼科撮影装置の制御系の構成を示したブロック図である。
【図７】第４実施形態の眼科撮影装置の光学系の構成を示した説明図である。
【図８】図７の眼科撮影装置の制御系の構成を示したブロック図である。
【図９】第５実施形態の眼科撮影装置の制御系の構成を示したブロック図である。
【図１０】第６実施形態の眼科撮影装置の制御系の構成を示した説明図である。
【符号の説明】
１０                   眼底カメラ
５０                   観察光学系
７０                   リレーレンズユニット
８０                   ＴＶカメラ
１１０                   メモリ
１１２                   制御装置（制御手段）
１２０                   ゲイン設定手段
１２１                   ガンマ設定手段
【図１】
0004795533.tif 000002
【図２】
0004795533.tif 000003
【図３】
0004795533.tif 000004
【図４】
0004795533.tif 000005
【図５】
0004795533.tif 000006
【図６】
0004795533.tif 000007
【図７】
0004795533.tif 000008
【図８】
0004795533.tif 000009
【図９】
0004795533.tif 000010
【図１０】
0004795533.tif 000011